(57)【要約】【課題】表地及び裏地を具備しつつも、従来のボトム衣類には無い充分なクール機能を有するボトム衣類を提供する。【解決手段】表生地及び裏地を具備するボトム衣類において、後述するいわゆる煙突効果やフイゴ作用を持たせる。具体的には、本発明は、表生地及び裏地を具備し、前記裏地が、裏地本体部分と、前記表生地と同等以上の通気性を有する後ろヨーク部分と、を有し、股下乃至はクロッチ部から下方に５ｃｍ以上延びる丈を有すること、を特徴とするボトム衣類、を提供する。【選択図】図１
2018035447.tif 000002
【特許請求の範囲】
【請求項１】
表生地及び裏地を具備し、
前記裏地が、裏地本体部分と、前記表生地と同等以上の通気性を有する後ろヨーク部分と、を有し、股下乃至はクロッチ部から下方に５ｃｍ以上延びる丈を有すること、
を特徴とするボトム衣類。
【請求項２】
前記裏地本体部分の通気性が、前記表生地の通気性の０．５倍以下であること、
を特徴とする請求項１に記載のボトム衣類。
【請求項３】
前記後ろヨーク部分が後ろ身頃におけるヒップ頂点近傍からウエスト部までの領域に位置し、横方向において、前記後ろ身頃の端部まで伸びていること、
を特徴とする請求項１又は２に記載のボトム衣類。
【請求項４】
前記後ろヨーク部分が横方向において、少なくとも中心から左右各５ｃｍまで延びていること、
を特徴とする請求項１〜３のうちのいずれかに記載のボトム衣類。
【請求項５】
前記後ろヨーク部分の縦幅が１．５ｃｍ以上であること、
を特徴とする請求項１〜４のうちのいずれかに記載のボトム衣類。
【発明の詳細な説明】
【技術分野】
【０００１】
本発明は、表地及び裏地を具備しかつ着用者に涼しさを感じさせるボトム衣類に関する。
【背景技術】
【０００２】
近年、地球温暖化の影響もあり、夏季はもとより、春や秋であっても暑さを感じることが多く、また、冬であっても室内においては暖房によって暑さを感じることが多々ある。しかるに、着用者にとって涼しい衣服が好まれるところ、種々の提案がなされており、特に夏にはＴシャツ、アロハシャツ及びかりゆしなどの上着や、短いパンツなどのボトム衣類が使用されている。
【０００３】
なかでも、ボトム衣類については、例えば特許文献１（特開２０１１−００６８１４号公報）において、ヒップのうち肌ケアを必要とする部位に対する保湿機能を備え、ヒップのたるみ変形を防止するとともに、着用時のムレを防いで良好な着用感を実現することを目的とした臀部被覆衣類が提案されている。
【０００４】
即ち、特許文献１には、ボトム衣類の背面側において、ヒップ膨出部の下部の臀溝に当たる部分と、ヒップ膨出部の上部のウエストラインから臍高さ位置との間に当たる部分とに、低通気性を保持する保湿布１８を配置している臀部被覆衣類が提案されている。
【０００５】
上記特許文献１における臀部被覆衣類は、より具体的には、下半身に密着するショーツなどのボトム衣類を意図しており、しかも、ヒップ膨出部の下部の臀溝に当たる部分と、ヒップ膨出部の上部のウエストラインから臍高さ位置との間に当たる部分とに、低通気性の保湿布が取り付けられている。
【先行技術文献】
【特許文献】
【０００６】
【特許文献１】特開２０１１−００６８１４号公報
【発明の概要】
【発明が解決しようとする課題】
【０００７】
ここで、一般的には、表地及び裏地を有するパンツやスカート等のボトム衣類が数多く普及しており、そのような裏地には、透け防止、滑りの良さ、良好な着心地、及び綺麗なシルエットが求められてはいるものの、通気性や換気性についてはあまり考慮されていないのが実情であった。
【０００８】
そこで、本発明の目的は、表地及び裏地を具備しつつも、従来のボトム衣類には無い充分なクール機能を有するボトム衣類を提供することにある。
【課題を解決するための手段】
【０００９】
上記の課題を解決すべく、本発明者らは鋭意検討を重ねた結果、表生地及び裏地を具備するボトム衣類において、後述するいわゆる煙突効果やフイゴ作用といった通気性や換気性を持たせることができれば、使用者に十分な涼しさを感じさせるクール機能を発揮できると考え、本発明を完成するに至った。
【００１０】
即ち、本発明は、
表生地及び裏地を具備し、
前記裏地が、裏地本体部分と、前記表生地と同等以上の通気性を有する後ろヨーク部分と、を有し、股下乃至はクロッチ部から下方に５ｃｍ以上延びる丈を有すること、
を特徴とするボトム衣類、
を提供する。
【００１１】
本発明のボトム衣類は、上記のとおりの構成を有することから、裏地において、後ろヨーク部分が他の部分よりも通気性が良いことを特徴とする。より具体的には、本発明のボトム衣類の裏地は、後ろヨーク部分と前ヨーク部分とを有するが、前ヨーク部分の通気性が良いと下腹部を冷やして健康を損なうおそれがあるため、後ろヨーク部分のみが通気性の良い構成を有しているのである。
【００１２】
また、上記のように着用者に涼しさを提供する裏地付き「ボトム衣類」の表生地は、多くの場合、薄くて軽くて透け易く、通気性の高い素材である。本発明のボトム衣類においては、表生地の後ろヨーク部分の通気性の高さを損なわないように、裏地が設けられる。したがって、前記裏地本体部分の通気性が、前記表生地の通気性の０．５倍以下であること、が好ましい。
【００１３】
更に、丈に関しては、当該後ろヨーク部分の丈を、股下から下方に５ｃｍ以上延びる丈とすることにより（即ち、裏地の後ろヨーク部分において、股下から下方に５ｃｍ以上延びる部分までを通気性の低い素材で構成することにより）、下着のクロッチ部の輪郭が表から透けて見えないことが好ましい。
【００１４】
ここで、本発明の「ボトム衣類」とは、パンツ及びスカートのいずれをも含む概念であり、例えば、ロングパンツ、レギンス、スパッツ、ショートパンツ及びキュロット等のパンツ、並びにロングスカート、タイトスカート、フレアスカート及びショートスカート等のスカート及びワンピースのスカート部を含む。
【００１５】
上記の本発明のボトム衣類においては、裏地の後ろヨーク部分が他の部分よりも通気性が良いため（即ち、裏地が高通気性の後ろヨーク部分を有しているため）、ボトム衣類内にこもった熱気が上昇気流となって、ボトム衣類の裏地の後ろヨーク上部から表生地を経て、外部に抜けていくように空気の通り道を形成し、いわゆる煙突効果を持たせることができ、ボトム衣類の内部に風を通して換気し使用者に涼しさを感じさせることができる。
【００１６】
上記の本発明のボトム衣類においては、裏地の後ろヨーク部分が、裏地の後ろ身頃におけるヒップ頂点近傍からウエスト部までの領域に位置し、また、横方向において、前記後身頃の端部まで延びていること、が好ましい。このような構成によれば、例えば高温時に人間の皮膚温の上昇し易い部分において、ボトム衣類の上部からボトム衣類内にこもった熱気が上昇気流となって抜けていく空気の通り道を上下方向において確実に形成し、ボトム衣類の内部に風を通して換気し使用者に涼しさを確実に感じさせることができる。
【００１７】
また、上記の本発明のボトム衣類においては、裏地の通気性の良い後ろヨーク部分が横方向において、少なくとも中心（例えば図１における「点Ｃ」）から左右各５ｃｍまで延びていること、が好ましい。このような構成によれば、ボトム衣類の上部からボトム衣類内にこもった熱気が抜けていく空気の通り道を左右（水平）方向において確実に形成し、ボトム衣類の内部に風を通して使用者に涼しさを確実に感じさせることができる。
【００１８】
また、上記の本発明のボトム衣類においては、裏地の通気性の良い後ろヨーク部分の縦幅が１．５ｃｍ以上であること、が好ましい。このような構成によれば、通気性の良い後ろヨーク部分をより確実に形成することができ、ボトム衣類の上部からボトム衣類内にこもった熱気が抜けていく空気の通り道を上下方向において確実に形成し、ボトム衣類の内部に風を通して使用者に涼しさを確実に感じさせることができる。
【００１９】
上記の本発明のボトム衣類は、上記の裏地の後ろヨーク部分に加えて、更に、ボトム衣類の裏地の下方側に、空気の取入口を有しているのが好ましい。この空気の取入口としては、スカートの場合は裾部分であり、パンツの場合は通気性の良い内股部分及び／又は通気性の良い膝裏部分が挙げられる。
【００２０】
パンツの場合、このような構成にすれば、裾部分から空気が入り易くなる。また、ボトム衣類の太腿の内側に該当する部分の通気性を上げることでボトム衣類内に空気が入り易くなり涼しさを感じられる。また、クールダウンスポットと言われている膝の裏からも空気が入ってボトム衣類内に空気が通り易くなり涼しさを感じられる。
【００２１】
スカートの場合、ボトム衣類の裾部分と脚との間のゆとり（隙間）を大きく取れば、歩行時に動作や風によってボトム衣類が揺れた際に、ボトム衣類があたかも「ふいご」のような動きをし、ボトム衣類内にこもった熱気を上記の通気性の良い（高い）後ろヨーク部分からボトム衣類の外部に押し出す効果を奏する。
【００２２】
上記のスカートの場合においては、裏地の丈は、股下から５ｃｍ以上下までの長さを持つこと、が好ましい。丈が長ければ長いほど、下着のクロッチ部の輪郭が透けて見えないようにすることができるだけでなく、裏地で覆われた太腿の内側の空気層の体積が歩行動作によって大きくなったり小さくなったりすることを周期的に繰り返すことによって、ふいご作用が発生し裏地で覆われた太ももの内側の空間の空気が確実に出入りして換気され涼しさを感じられるようになる。
【００２３】
また、上記の本発明のパンツの場合においては、前記裏地の通気性の良い内股部分の横幅が１．５ｃｍ以上であること、が好ましい。このような構成によれば、内股部分を形成し易く、太腿の内側に該当する部分の通気性を確実に上げることでボトム衣類内に空気が入り易くなり確実に涼しさを感じられる。
【００２４】
また、上記の本発明のボトム衣類においては、前記裏地の通気性の良い膝裏部分が横方向において、前記後身頃の端部まで延びていること、が好ましい。このような構成によれば、クールダウンスポットである膝の裏から確実に空気が入ってボトム衣類内に空気が入り易くなり涼しさを確実に感じられる。
【００２５】
更にまた、上記の本発明のボトム衣類においては、前記裏地の通気性の良い膝裏部分の縦幅が１．５ｃｍ以上であること、が好ましい。このような構成によれば、前記通気性の良い膝裏部分をより確実に形成することができ、膝裏部分の通気性を確実に上げることでボトム衣類内に空気が入り易くなり確実に涼しさを感じられる。
【００２６】
また、上記の本発明のボトム衣類の表生地においては、ボトム衣類の下方部分（裾部分）からの空気の取入口をより確実に確保していわゆる「ふいご」の効果をより確実に得るため、前身頃及び後身頃において、ゆとり量を大きめに取ること、もしくは、前記ボトム衣類の長さ方向に延びるセンタープレス加工部を有すること、が好ましい。このような構成を具備すれば、ありとあらゆる態様のボトム衣類に本発明を適用可能である。
【００２７】
また、ベルト部の肌側部分が、例えば、メッシュ状部材やエンボス状部材など、肌との接触面積の少ない部材で構成されているのが好ましい。このような構成によれば、人体ウエスト部とボトム衣類のベルト部の肌側部分との接触面積が小さくなり、当該肌側部分における汗によるベタつきを軽減させ、使用者に良好な肌触りを感じさせることができる。
【発明の効果】
【００２８】
本発明によれば、表生地及び裏地を有しつつも、従来のボトム衣類には無い充分なクール機能を有するボトム衣類を提供することができる。
【図面の簡単な説明】
【００２９】
【図１】本発明の表生地及び裏地を具備するボトム衣類（パンツ）の第一実施形態（ａ）及び第二実施形態（ｂ）について、裏返して表生地の上に裏地が位置している状態を後ろ側から見た様子を示す概略図である。
【図２】本発明の表生地及び裏地を具備するボトム衣類（パンツ）の第三実施形態（ａ）及び第四実施形態（ｂ）について、裏返して表生地の上に裏地が位置している状態を後ろ側から見た様子を示す概略図である。
【図３】本発明の表生地及び裏地を具備するボトム衣類（パンツ）の第五実施形態（ａ）及び第六実施形態（ｂ）について、裏返して表生地の上に裏地が位置している状態を後ろ側から見た様子を示す概略図である。
【図４】本発明の表生地及び裏地を具備するボトム衣類（スカート）の第七実施形態について、裏返して表生地の上に裏地が位置している状態を後ろ側から見た様子を示す概略図である。
【発明を実施するための形態】
【００３０】
以下において、本発明に係るボトム衣類の代表的な実施形態を、図面を参照しながら詳細に説明するが、本発明は図示されるものに限られないことは言うまでもない。また、各図面は本発明を概念的に説明するためのものであるから、理解容易のために、必要に応じて寸法、比または数を誇張または簡略化して表している場合もある。更に、以下の説明では、同一または相当部分には同一符号を付し、重複する説明は省略することもある。
【００３１】
≪第一実施形態≫
図１の（ａ）は、本発明の表生地及び裏地を具備するボトム衣類（パンツ）の第一実施形態について、裏返して表生地の上に裏地が位置している状態を後ろ側から見た様子を示す概略図である。図１の（ａ）に示すように、本実施形態のボトム衣類１は、いわゆるロングパンツであり、裏返された長い（足首近傍まで延びる）表生地２及び裏返された短い（膝裏近傍まで延びる）裏地４を具備している。
【００３２】
図１の（ａ）に表われている裏地４は、いわゆる後身頃であり、裏地本体部分４ａ及び後ろヨーク部分４ｂを有しており、この後ろヨーク部分４ｂが、表生地２と同等以上の通気性を有している。また、裏地本体部分４ａの通気性は、表生地２の通気性の０．５倍（１/２）以下である。
【００３３】
そして、裏地４の丈については、股下乃至はクロッチ部Ｅから下方に５ｃｍ以上延びる位置までの長さを持つこと、が好ましい。クロッチ部から下の丈が長ければ長いほど、股くりが透けにくい素材で覆われているため、外部から下着が透けて見えないようにすることができるだけでなく、裏地で覆われた太腿の内側の空気層の体積が歩行動作によって大きくなったり小さくなったりすることを周期的に繰り返すことによって、ふいご作用が発生し裏地で覆われた太ももの内側の空間の空気が確実に出入りして換気され涼しさを感じられるようになる。
【００３４】
本実施形態における後ろヨーク部分４ｂは、横方向においては、図１の（ａ）に示すように、中心Ｃからみて後身頃の両端部まで延びており、縦方向においては、ヒップ頂点（図示せず）近傍からウエスト部Ｗまでの領域（縦幅が１．５ｃｍ以上）に位置している。なお、ウエスト部Ｗにおいては、表生地２と裏地４とが縫製により連結されている。
【００３５】
後ろヨーク部分４ｂが他の部分よりも通気性が良い素材で構成されているため（即ち、高通気性の後ろヨーク部分４ｂを有しているため）、ボトム衣類１の上部からボトム衣類１内の熱気のこもった空気が上昇気流によって、後ろヨーク部分４ｂ及び表生地２（特に、後ろヨーク部分４ｂに対向する表生地２の部分近傍）を経て、抜けていくように空気の通り道を形成し、いわゆる煙突効果を持たせることができ、ボトム衣類１の内部に風を通して使用者に涼しさを感じさせることができる。
【００３６】
ここで、後ろヨーク部分４ｂを他の部分に対して高通気性とするには、即ち、通気性の差異を設けるために、さまざまな手法を採用することができる。例えば、後ろヨーク部分４ｂとその他の部分とに、異なる生地を使用することで、通気性の差異を設けてもよいし、１枚の中で通気性の良い部分と通気性の悪い部分とを編み分けた生地を使用することで、通気性の差異を設けてもよい。更に、本実施形態のボトム衣類１の本体である表生地は通気性が高いため、後ろヨーク部分４ｂを裏地なしにして高通気にし、それ以外の部分には裏地を設けて通気性を下げることで通気性の差異を設けても良い。
【００３７】
なお、裏地の通気性の差としては、後ろヨーク部分４ｂの通気性はその他の部分の通気性の１．５倍以上、更には２倍以上であることが好ましい。また、裏地本体部分４ａの通気性は、表生地２の通気性の０．５倍以下であることが好ましい。なお、図示しないが、通気性の高い表生地２の裏地４として、通気性の高い後ろヨーク部分４ｂに加えて、更に太もも内側近傍や膝近傍の通気性を高くした裏地にしても良いし、その部分の裏地をなくしてしまっても良い。
【００３８】
このような構成によって、高温時に人間の皮膚温の上昇し易い部分において、ボトム衣類１の後ろウエスト上部からボトム衣類１内の熱気のこもった空気が上昇気流によって抜けていく空気の通り道を上下方向及び水平方向において確実に形成し、ボトム衣類１の内部に風を通して換気し使用者に涼しさを確実に感じさせることができる。
【００３９】
≪第二実施形態≫
図１の（ｂ）は、本発明の表生地及び裏地を具備するボトム衣類（パンツ）の第二実施形態について、裏返して表生地の上に裏地が位置している状態を後ろ側から見た様子を示す概略図である。図１の（ｂ）に示すように、本実施形態のボトム衣類１は、いわゆるロングパンツであり、裏返された長い表生地２及び裏返された短い裏地４を具備している。
【００４０】
本実施形態のボトム衣類１は、概ね第一実施形態と同様であるが、裏地４の後身頃において、概ね膝裏部分４ｂ２も後ろヨーク部分４ｂ１と同様に、裏地本体部分４ａよりも通気性の高い素材で形成されている。このような構成によって、クールダウンスポットである膝裏部分４ｂ２からも空気が入ってボトム衣類１内に空気が入り易くなりより涼しさを感じられる。
【００４１】
≪第三実施形態≫
図２の（ａ）は、本発明の表生地及び裏地を具備するボトム衣類（パンツ）の第三実施形態について、裏返して表生地の上に裏地が位置している状態を後ろ側から見た様子を示す概略図である。図２の（ａ）に示すように、本実施形態のボトム衣類１は、いわゆるロングパンツであり、裏返された長い表生地２及び裏返された長い（膝下まで延びる）裏地４を具備している。
【００４２】
本実施形態のボトム衣類１は、概ね第一実施形態と同様であるが、裏地４が膝下まで延びる長い形状を有している。ここでも、裏地４の後身頃において、裏地本体部分４ａよりも通気性の高い後ろヨーク部分４ｂが設けられており、第一実施形態と同様の作用効果を奏することができる。
【００４３】
≪第四実施形態≫
図２の（ｂ）は、本発明の表生地及び裏地を具備するボトム衣類（パンツ）の第四実施形態について、裏返して表生地の上に裏地が位置している状態を後ろ側から見た様子を示す概略図である。図２の（ｂ）に示すように、本実施形態のボトム衣類１は、いわゆるロングパンツであり、裏返された長い表生地２及び裏返された長い裏地４を具備している。
【００４４】
本実施形態のボトム衣類１は、概ね第三実施形態と同様であるが、更に第二実施形態と同様に、裏地４の後身頃において、概ね膝裏部分４ｂ２も後ろヨーク部分４ｂ１と同様に、裏地本体部分４ａよりも通気性の高い素材で形成されている。このような構成によって、クールダウンスポットである膝裏部分４ｂ２からも空気が入ってボトム衣類１内に空気が入り易くなりより涼しさを感じられる。
【００４５】
≪第五実施形態≫
図３の（ａ）は、本発明の表生地及び裏地を具備するボトム衣類（パンツ）の第五実施形態について、裏返して表生地の上に裏地が位置している状態を後ろ側から見た様子を示す概略図である。図２の（ａ）に示すように、本実施形態のボトム衣類１は、いわゆるロングパンツであり、裏返された長い表生地２及び裏返された長い（表生地２と同様に略足首近傍まで延びる）裏地４を具備している。
【００４６】
本実施形態のボトム衣類１は、概ね第一実施形態と同様であるが、裏地４が略足首近傍まで延びる長い形状を有している。ここでも、第四実施形態と同様に、裏地４の後身頃において、裏地本体部分４ａよりも通気性の高い後ろヨーク部分４ｂ１及び膝裏部分４ｂ２が設けられており、第四実施形態と同様の作用効果を奏することができる。
【００４７】
≪第六実施形態≫
図３の（ｂ）は、本発明の表生地及び裏地を具備するボトム衣類（パンツ）の第六実施形態について、裏返して表生地の上に裏地が位置している状態を後ろ側から見た様子を示す概略図である。図３の（ｂ）に示すように、本実施形態のボトム衣類１は、いわゆるロングパンツであり、裏返された長い表生地２及び裏返された長い裏地４を具備している。
【００４８】
本実施形態のボトム衣類１は、概ね第五実施形態と同様であるが、更に裏地４の後身頃において、概ね膝裏から略足首部分までの膝下部分４ｂ２も、後ろヨーク部分４ｂ１と同様に、裏地本体部分４ａよりも通気性の高い素材で形成されている。このような構成によって、クールダウンスポットである膝下部分４ｂ２からも空気が入ってボトム衣類１内に空気が入り易くなりより涼しさを感じられる。
【００４９】
≪第七実施形態≫
図４は、本発明の表生地及び裏地を具備するボトム衣類（スカート）の第七実施形態について、裏返して表生地の上に裏地が位置している状態を後ろ側から見た様子を示す概略図である。図４に示すように、本実施形態のボトム衣類１は、いわゆるセミタイト型のスカートであり、裏返された表生地２及び裏返された裏地４を具備している。
【００５０】
本実施形態のボトム衣類１は、概ね第一実施形態と同様であるが、裏地４の後身頃において、概ね後ろヨーク部分４ｂが裏地本体部分４ａよりも通気性の高い素材で形成されている。このような構成によって、第一実施形態と同様の作用効果が得られる。また、本実施形態のボトム衣類１の裾から空気が入るため、より涼しさを感じられる。
【００５１】
以上、本発明の代表的な実施形態について説明したが、種々の設計変更が可能であり、本発明の技術的思想を具備している限りはそれらの設計変更も本発明に含まれる。
【符号の説明】
【００５２】
１、１０・・・ボトム衣類、
２・・・表生地、
４・・・裏地、
４ａ・・・裏地本体部分、
４ｂ、４ｂ１・・・後ろヨーク部分、
４ｂ２・・・膝裏部分、
Ｃ・・・中心、
Ｗ・・・ウエスト部。
【図１】
2018035447.tif 000003
【図２】
2018035447.tif 000004
【図３】
2018035447.tif 000005
【図４】
2018035447.tif 000006
【手続補正書】
【提出日】平成28年11月16日(2016.11.16)
【手続補正１】
【補正対象書類名】特許請求の範囲
【補正対象項目名】全文
【補正方法】変更
【補正の内容】
【特許請求の範囲】
【請求項１】
表生地及び裏地を具備し、
前記裏地が、裏地本体部分と、前記表生地と同等以上の通気性を有する後ろヨーク部分と、を有し、股下乃至はクロッチ部から下方に５ｃｍ以上延びる丈を有し、
前記裏地本体部分の通気性が、前記表生地の通気性の０．５倍以下であること、
を特徴とするボトム衣類。
【請求項２】
前記後ろヨーク部分が後ろ身頃におけるヒップ頂点近傍からウエスト部までの領域に位置し、横方向において、前記後ろ身頃の端部まで伸びていること、
を特徴とする請求項１に記載のボトム衣類。
【請求項３】
前記後ろヨーク部分が横方向において、少なくとも中心から左右各５ｃｍまで延びていること、
を特徴とする請求項１又は２に記載のボトム衣類。
【請求項４】
前記後ろヨーク部分の縦幅が１．５ｃｍ以上であること、
を特徴とする請求項１〜３のうちのいずれかに記載のボトム衣類。